(57)【要約】  本発明は、アンテナモジュール、特に電話機等のモバイル装置に使用されるアンテナモジュールに関する。本発明は、本発明による前記アンテナモジュールを少なくとも一つ有する、アンテナ、特に電話機等のモバイル装置に使用されるアンテナに関する。本発明は、更に、本発明による前記アンテナを少なくとも１つ有するモバイル装置にも関する。本発明は、更に、本発明によるアンテナの製造方法にも関する。
2017504276.tif 000002
【特許請求の範囲】
【請求項１】
特に電話機等のモバイル装置に使用されるアンテナモジュールであって、
少なくとも１つの誘電体支持基板と、
前記基板に取り付けられた少なくとも１つのフィードラインと、
前記フィードラインに接続されるとともに前記基板に取り付けられた少なくとも１つの蛇行形状ブランチと、
前記フィードラインおよび／又は前記蛇行形状ブランチに接続されるとともに、前記基板に取り付けられた、少なくとも１つの追加の共振ブランチと、を有するアンテナモジュール。
【請求項２】
前記誘電体支持基板は、プリント回路基板（ＰＣＢ）である請求項１に記載のアンテナモジュール。
【請求項３】
前記プリント回路基板は、電話機等のモバイル装置の一部を形成する請求項２に記載のアンテナモジュール。
【請求項４】
前記誘電体基板は、少なくとも部分的に、ポリマー、特に、ファイバ強化ポリマーから形成されている請求項１〜３の何れか一項に記載のアンテナモジュール。
【請求項５】
前記ブランチは、前記支持基板にプリントされている請求項１〜４の何れか一項に記載のアンテナモジュール。
【請求項６】
前記ブランチは、実質的にフラットな形状を有する請求項１〜５の何れか一項に記載のアンテナモジュール。
【請求項７】
前記ブランチは、共通の平面に位置している請求項１〜６の何れか一項に記載のアンテナモジュール。
【請求項８】
前記少なくとも１つの追加ブランチは、前記蛇行形状ブランチのサイドブランチである請求項１〜７の何れか一項に記載のアンテナモジュール。
【請求項９】
複数の追加ブランチが使用される請求項１〜８の何れか一項に記載のアンテナモジュール。
【請求項１０】
少なくとも二つの追加ブランチが前記蛇行形状ブランチの両側に接続されている請求項８又は９に記載のアンテナモジュール。
【請求項１１】
前記少なくとも１つのフィードラインの少なくとも一部分は前記基板上にプリントされている請求項１〜１０の何れか一項に記載のアンテナモジュール。
【請求項１２】
前記アンテナモジュールは、前記基板に取り付けられた複数のフィードラインを有する請求項１〜１１の何れか一項に記載のアンテナモジュール。
【請求項１３】
前記フィードラインは、少なくとも１つの共通の蛇行形状ブランチに接続されている請求項１２に記載のアンテナモジュール。
【請求項１４】
前記少なくとも二つのフィードラインは互いに異なる入力インピーダンスレベルを有する請求項１２又は１３に記載のアンテナモジュール。
【請求項１５】
前記少なくとも二つのフィードラインは互い異なる共振作用を有するように構成されている請求項１２〜１４の何れか一項に記載のアンテナモジュール。
【請求項１６】
前記少なくとも二つのフィードラインは、互いに異なる長さおよび／又は幅を有する請求項１４又は１５に記載のアンテナモジュール。
【請求項１７】
前記アンテナモジュールは、前記ブランチを少なくとも実質的に取り囲む少なくとも１つの誘電性ハウジングを有する請求項１〜１６の何れか一項に記載のアンテナモジュール。
【請求項１８】
前記少なくとも１つのフィードインレットは、実質的に、前記誘電性ハウジングの外側に位置している請求項１７に記載のアンテナモジュール。
【請求項１９】
前記ハウジングは、複数のハウジング部分を有し、少なくとも１つの第１ハウジング部分が前記蛇行形状ブランチを少なくとも実質的に取り囲み、少なくとも１つの第２ハウジング部分が前記追加ブランチを少なくとも実質的に取り囲んでいる請求項１７又は１８に記載のアンテナモジュール。
【請求項２０】
前記第１ハウジング部分と前記少なくとも１つの第２ハウジング部分とは、互いに異なる誘電性材から形成されている請求項１９に記載のアンテナモジュール。
【請求項２１】
前記各追加ブランチは、第２ハウジング部分によって取り囲まれている請求項１９又は２０に記載のアンテナモジュール。
【請求項２２】
前記誘電性ハウジングは、少なくとも部分的に、ポリマー、アルミナ、ケイ素、ＧａＡｓ、半導体およびセラミック材から成るグループから選択される材料によって形成されている請求項１７〜２１の何れか一項に記載のアンテナモジュール。
【請求項２３】
前記誘電性ハウジングは、少なくとも部分的に、少なくとも一種類の非ポリマー添加物を含む複合ポリマーから形成されている請求項２２に記載のアンテナモジュール。
【請求項２４】
前記誘電性ハウジングの誘電率は６〜１８である請求項１７〜２３の何れか一項に記載のアンテナモジュール。
【請求項２５】
前記誘電性ハウジングの幅は、０．８〜１ｃｍである請求項１７〜２４の何れか一項に記載のアンテナモジュール。
【請求項２６】
前記誘電性ハウジングの長さは、１〜２ｃｍである請求項１７〜２５の何れか一項に記載のアンテナモジュール。
【請求項２７】
前記誘電性ハウジングの幅は、０．５〜１ｍｍである請求項１７〜２６の何れか一項に記載のアンテナモジュール。
【請求項２８】
前記ハウジングの前記支持基板から離間する上面と、前記支持基板から離間する前記蛇行形状ブランチの面との間の距離は、０．９９〜２ｃｍである請求項１７〜２７の何れか一項に記載のアンテナモジュール。
【請求項２９】
少なくとも１つの追加ブランチは実質的にリニアなオリエンテーションを有する請求項１〜２８の何れか一項に記載のアンテナモジュール。
【請求項３０】
前記アンテナは、次のバンド幅、即ち、セルラーＧＳＭ，ＬＴＥ，ＷＣＤＭＡおよび／又はＷｉＦｉの少なくとも１つで作動するように構成されている請求項１〜２９の何れか一項に記載のアンテナモジュール。
【請求項３１】
各ブランチは、導電性材、好ましくは金属、特に銅から形成されている請求項１〜３０の何れか一項に記載のアンテナモジュール。
【請求項３２】
前記蛇行形状ブランチの湾曲部の数は少なくとも４つである請求項１〜３１の何れか一項に記載のアンテナモジュール。
【請求項３３】
前記蛇行形状ブランチは、実質的にスムースな湾曲部を有する請求項１〜３２の何れか一項に記載のアンテナモジュール。
【請求項３４】
少なくとも１つのブランチの自由端は、テーパ形状を有する請求項１〜３３の何れか一項に記載のアンテナモジュール。
【請求項３５】
前記蛇行形状ブランチの外側幅は、０．８〜１ｃｍである請求項１〜３４の何れか一項に記載のアンテナモジュール。
【請求項３６】
前記蛇行形状ブランチの外側長さは、１〜２ｃｍである請求項１〜３５の何れか一項に記載のアンテナモジュール。
【請求項３７】
前記蛇行形状ブランチの全長は、５〜１５ｃｍである請求項１〜３６の何れか一項に記載のアンテナモジュール。
【請求項３８】
前記蛇行形状ブランチの幅は、０．２５〜１．５ｍｍである請求項１〜３７の何れか一項に記載のアンテナモジュール。
【請求項３９】
前記蛇行形状ブランチの厚みは、１０〜４０ミクロンである請求項１〜３８の何れか一項に記載のアンテナモジュール。
【請求項４０】
前記蛇行形状ブランチの二つの最も近い部分の間の距離は０．１〜１ｍｍである請求項１〜３９の何れか一項に記載のアンテナモジュール。
【請求項４１】
追加ブランチの数は２〜６である請求項１〜４０の何れか一項に記載のアンテナモジュール。
【請求項４２】
前記アンテナは、少なくとも実質的に前記誘電性ハウジングによって取り囲まれた複数の蛇行形状ブランチを有する請求項１〜４１の何れか一項に記載のアンテナモジュール。
【請求項４３】
前記誘電性基板は実質的にブロック形状である請求項１〜４２の何れか一項に記載のアンテナモジュール。
【請求項４４】
アンテナであって、
請求項１〜４４のいずれかのアンテナモジュールを少なくとも一つ、および、
前記誘電性基板の、前記アンテナモジュールの前記ブランチの反対側に位置し、グランドプレーンとして機能する少なくとも１つの伝導性プレート、を有するアンテナ。
【請求項４５】
前記誘電性基板と前記グランドプレーンとは平行に配置されている請求項４４に記載のアンテナ。
【請求項４６】
前記誘電性基板と前記グランドプレーンとは互いに取り付けられている請求項４４又は４５に記載のアンテナ。
【請求項４７】
前記誘電性基板と前記グランドプレーンとは、互いに離間して配置され、互いに空間を包囲している請求項４４又は４５に記載のアンテナ。
【請求項４８】
前記グランドプレーンは、電話機等のモバイル装置の一部を形成している請求項４４〜４７の何れか一項に記載のアンテナ。
【請求項４９】
請求項４４〜４８の何れか一項に記載のアンテナを少なくとも１つ有する、モバイル装置、特に電話機。
【請求項５０】
マルチモードで通信信号を交換するトランシーバ回路、および、
前記トランシーバ回路とマルチモードアンテナとの間をインターフェースする単一のポートを有し、
前記マルチモードアンテナは、第１モードで第１周波数での共振用の第１長さと第１断面形状とを有する蛇行形状ブランチと、第２モードで第２周波数での共振用の第２長さと第２断面形状とを有する少なくとも１つの追加のブランチとを有する請求項４９に記載のモバイル装置。
【請求項５１】
請求項１〜４３の何れか一項に記載のアンテナモジュールの製造方法であって、
（Ａ）フィードインレット、少なくとも１つの蛇行形状ブランチと、少なくとも１つの追加のブランチとを誘電体支持基板上に取り付ける、好ましくは、堆積する工程、を有するアンテナモジュールの製造方法。
【請求項５２】
更に、以下からなる工程（Ｂ）、即ち、前記ブランチを少なくとも実質的に、誘電性ハウジング、好ましくは、ポリマー含有ハウジングによって、取り囲む、好ましくは、成形によって取り囲む工程、を有する請求項５１に記載のアンテナモジュールの製造方法。
【請求項５３】
前記工程（Ａ）の堆積工程は、写真石版および／又はメッキによって行われる請求項５０〜５２の何れか一項に記載のアンテナモジュールの製造方法。
【請求項５４】
請求項４４〜４８の何れか一項に記載のアンテナを組み立てる方法であって、
請求項１〜４３の何れか一項に記載のアンテナモジュールと、グランドプレーンとして機能する少なくとも１つの導電性プレートとを組み合わせる工程を有するアンテナを組み立てる方法。
【請求項５５】
前記導電性プレートは、モバイル装置の一部を形成し、前記アンテナモジュールは、前記モバイル装置のケーシング内に取り付けられる請求項５４に記載のアンテナを組み立てる方法。
【発明の詳細な説明】
【技術分野】
【０００１】
本発明は、アンテナモジュール、特に電話機等のモバイル装置に使用されるアンテナモジュールに関する。本発明は、本発明による前記アンテナモジュールを少なくとも一つ有する、アンテナ、特に電話機等のモバイル装置に使用されるアンテナに関する。本発明は、更に、本発明による前記アンテナを少なくとも１つ有するモバイル装置にも関する。本発明は、更に、本発明によるアンテナを製造し組み立てる方法にも関する。
【背景技術】
【０００２】
通信システムには、ＧＳＭ，ＤＣＳ，ＰＣＳ，ＤＡＭＰＳその他等、多くの異なるタイプが存在するので、共通のエリアに対してサービスを提供するために異なるタイプのシステムを持つことが益々可能となってきている。これらのシステムは、通常、異なる周波数レンジで作動する。例えば、ＧＳＭは通常８９０−９６０ＭＨＺで作動し、ＤＣＳは通常１７１０−１８８０ＭＨＺで作動する。通信装置が複数のバンドで作動することを可能にするべく異なる周波数で共振することが可能なアンテナである、マルチモードアンテナがしばしば使用される。公知のアンテナには複数の欠点がある。能率が低く、インピーダンスマッチングの程度が低いためにアンテナはかなり大きなバッテリパワーを消費する。更に、公知のアンテナは、望ましく必要であるよりも大きな空間を占有する。
【発明の概要】
【発明が解決しようとする課題】
【０００３】
本発明の第１の目的は、特に、携帯（スマートフォン）電話等の、モバイル装置に使用される改善されたアンテナモジュールを提供することにある。
【課題を解決するための手段】
【０００４】
本発明は、請求項１によるアンテナを提供することによって、上述した諸問題を解決するとともに、更なる利点を達成するものである。本発明によるアンテナモジュールは、電話機等のモバイル装置での使用に理想的な、グランドプレーンと組み合わされてアンテナを形成するアンテナコンポーネントを構成する。前記グランドプレーンは、前記モバイル装置の一部を形成する、導電性プレート、又は導電性部材、によって形成することができる。前記アンテナモジュールを、一般に別体のコンポーネントとして、前記モバイル装置上、又はモバイル装置内に、前記導電性プレート又は部材が、グランドプレーンとして作用することが可能な状態に搭載又は取り付けることによって、前記モバイル装置に、非常にコンパクトで高性能なアンテナを効率的に備えさせることが可能となる。この目的のために、前記アンテナモジュールは、好ましくは、グランドプレーンとして機能する前記導電性プレート又は部材の上に配設され、ここで、前記グランドプレーンと、ブランチ（branches）およびフィードライン（単数又は複数）は、誘電体基板、そして、最終的には、エアギャップ等の別の絶縁層、によって互い物理的に分離されている。
【０００５】
本出願は、ここにそれらの開示内容を参考文献として合体させる、２０１４年１月２４日出願のオランダ特許出願第２０１２１３１号と、２０１４年１２月１０日出願のオランダ特許出願第２０１３９５１号、との優先権を主張するものである。
【０００６】
本発明による前記アンテナモジュールは、グランドプレーンと共に、複数の共振周波数にチューニング可能なマルチバンド、マルチブランチアンテナ、を形成するように構成される。その蛇行形状のブランチにより、前記アンテナモジュールは比較的コンパクトであり、それによって、このアンテナモジュールを（スマート）フォン、やタブレット等のモバイル（携帯）装置への組み込み用に理想的なものとしている。前記アンテナの複数の共振（たとえば、Ｗｉ−Ｆｉ，ＧＳＭ，ＤＣＳ，ＬＴＥ，ＷＣＤＭＡ又はＰＣＳに対応）は、前記アンテナブランチのプリントパターンにバリエーションを提供することによって達成される。好ましくは、前記蛇行形状ブランチ（最長ブランチ）は、相対的に低い周波数、特に、ＧＳＭバンド（８９０−９６０ＭＨｚ）内で作動するように設計され、これに対して、前記少なくとも１つの追加のブランチ（短いブランチ）は、比較的高い周波数バンド、特に、ＤＣＳ／ＰＣＳバンド（１７１０−１８８０／１８５０−１９９０ＭＨｚ）、ＷＬＡＮ周波数バンド（２４００−２４８４ＭＨｚ）、又はＬＴＥ周波数バンド（たとえば、１８００−２６００ＭＨｚ）内で作動されるように設計される。これらのブランチは、前記装置の特定周波数バンドにおいて追加の共振プロセスを励起することによって、前記アンテナのインピーダンスマッチングを改善するために使用される。複数のブランチ、好ましくは、複数の追加のブランチ、特に、前記蛇行形状ブランチの複数のサイドブランチ、の利用は、戻り損失と、作動周波数バンドの数とにおいてアンテナの性能を改善するために好適である。
【０００７】
本発明のアンテナの実施例は、以下の記載と従属クレームとに記載される。
【０００８】
前記誘電体支持基板は、好ましくは、プリント回路基板（ＰＣＢ）によって形成される。このＰＣＢは、又、その内部に前記アンテナモジュールが取り付け可能な、電話機、タブレット、又はラップトップ、等のモバイル装置に関連する（他の）回路のキャリアとすることも可能である。前記ＰＣＢは、一般に、フラットオリエンテーションを有し、多くの場合、前記アンテナモジュールの、前記モバイル装置内又は当該装置上の取り付けを容易にするために単数又は複数のネジ穴を備えている。前記ＰＣＢは、クロス又は紙の層を、熱硬化性樹脂と加圧加熱によって硬化させて均一な厚みの一体最終ピースを形成することによって製造されるラミネートによって形成される。クロスの織り（１インチ又はセンチ当たりの糸）、クロスの厚み、樹脂含有率、を変化させることによって、所望の最終厚みと誘電特性とを達成する。前記通常のＰＣＢ材に代えて、前記誘電体基板は、又、少なくとも部分的にポリマー、特に、ファイバ強化ポリマーから形成することも可能である。適当なポリマーは、約４の相対誘電率（εｒ）を有するポリ（酸化プロピレン）（ＰＰＯ）である。このポリマーの強化は、ガラスファイバを添加することによって達成することができ、それによって、複合材が得られる。前記基板の製造のために使用されるその他の誘電性複合材も考えられる。
【０００９】
前記ブランチは、好ましくは、公知の技術を使用して前記基板上にプリントされる。一般に、前記ブランチは、導電性材、好ましくは、金属、より好ましくは銅、から形成される。プリントによって、ブランチパターンを容易かつ高精度に、前記支持基板の表面上に実現することができる。エッチング等のその他の技術も、利用可能であるが、但し、それらは一般により複雑でコスト高であるために好適性は低い。好ましくは、前記ブランチは、実質的にフラットな形状を有する。前記ブランチは、一般に、互いに接続された複数の細いトラックによって形成される。前記ブランチの典型的な厚みは、１０〜４０ミクロンである。好ましくは、前記蛇行形状ブランチの外側幅は、０．８〜１ｃｍである。そのような前記蛇行形状ブランチの外側長さは、好ましくは１〜２ｃｍである。そのような前記蛇行形状ブランチの全長は、好ましくは、５〜１５ｃｍである。そのような前記蛇行形状ブランチの幅は、好ましくは０．２５〜１．５ｍｍである。設計自由度を増大するべく前記ブランチの形状は変えることが可能である。
【００１０】
好ましくは、前記ブランチは、共通の平面に配置される。好ましくは、同様に同じ共通平面に配置されるフィードインレット（単数又は複数）も同様である。この場合、前記誘電体支持基板の単一の表面が前記ブランチ（およびフィードインレット（単数又は複数））によってカバーされ、これによって前記アンテナモジュールの取り付けと設置が容易になる。
【００１１】
好ましくは、高周波数制御アームとして機能する前記少なくとも１つの追加のブランチは、前記蛇行形状ブランチのサイドブランチである。或いは、前記少なくとも１つの追加のブランチは、単数又は複数のフィードインレットのサイドブランチである。両方の実施例の組み合わせも考えられる。複数の追加ブランチを使用することによってアンテナ性能を更に改善することができる。後者の場合、最善の性能改善を達成するために、好ましくは、少なくも二つの追加ブランチが、前記蛇行形状ブランチの両側に接続される。本発明の前記マルチブランチアンテナ（モジュール）は、マッチングネットワーク無しで、様々な周波数での共振を達成する。前記アンテナブランチがプリントによって形成される場合、物理的誤差の問題が回避される。
【００１２】
好ましくは、前記蛇行形状ブランチは、第１の周波数での共振のための第１長と第１断面形状を有し、これに対して前記少なくとも１つの追加ブランチは、第２の周波数での共振のための第２長と第２断面形状を有する。勿論、前記ブランチのサイズは、好ましくは、これらブランチが所望の周波数バンド内で作動するのに適したものとなるように選択される。前記第１および第２断面形状は、実質的に類似のものとすることができる。更に具体的には、これら第１および第２断面形状は、好ましくは、実質的に円筒状であり、所望のバンド幅とサイズを達成するために選択される直径を有する。
【００１３】
各ブランチは、その上に別の金属辺ラインパターンが形成されたフレキシブルな誘電性膜を備えることができる。
【００１４】
前記ブランチは、一般的には、共通の平面に配置されて、２Ｄ構造のブランチを形成するものとされるが、更に、これらブランチのそれぞれ、又は、これらブランチ全部で、より空間的な３Ｄ構成を有するようにすることも考えられる。アンテナの体積占有の要件と、ホストプラットフォームとの統合においてあり得る制約要件とに応じて、両方の実施態様が可能である。
【００１５】
好ましくは、更に、前記少なくとも１つのフィードラインの少なくとも一部分は、上述したのと同じ理由によって前記基板上にプリントされる。前記少なくとも１つのフィードラインの形状が、前記共振周波数を決定する。前記基板に取り付けられた複数のフィードラインを使用することが非常に有利でありうる。すべてのフィードラインは、好ましくは、少なくとも１つの共通の（集合的な）蛇行形状ブランチに接続される。好ましくは、少なくとも二つのフィードラインは、互いに異なる入力インピーダンスレベルを有する、および／又は、互いに異なる共振作用を備えるように構成される。これによってそのようなマルチフィード（マルチポート）アンテナモジュールを有する単一のアンテナが、異なる周波数バンドで（同時に）作動することが可能となる。このアンテナ構造によって、最大４ｄＢのゲイン（これは従来のアンテナよりも２倍優れている）を実現することが可能であり、アンテナ効率を最大６５％増大させることが可能である。これによって（ＧＳＭバンドにおける）変換品質が改善され、拡大された無線カバレッジによってデータ転送速度を増大させることが可能である。このマルチバンドカバレッジを達成するために、前記少なくとも二つのフィードラインが互いに異なる形状、特に、互いに異なる長さ、厚み、幅、および／又は導電性、を有するように構成することが好ましい。
【００１６】
前記アンテナモジュールは、好ましくは、前記ブランチを少なくとも実質的に取り囲む少なくとも１つの誘電性ハウジングを有する。この誘電性ハウジングによって、前記ブランチは物理的ダメージから保護され、更に、これらブランチの酸化を防止する。更に、この誘電性ハウジングは、共振器、および／又は、レンズとして機能し、その形状は、放射パターンとアンテナ性能とに影響し、それによって、更に、前記アンテナモジュールを小型化することも可能にする。従って、前記少なくとも１つの誘電性ハウジングを提供することによって、アンテナモジュールのより大きな設計自由度が提供され、その結果、特定の用途ための最適なアンテナモジュール設計をより容易に達成することが可能となる。前記少なくとも１つのフィードインレットは、好ましくは、実質的に誘電性ハウジングの外側に位置する。フィードインレットは、一般に、設置中、電源に接続され、従って、好ましくは、少なくとも部分的にはカバーされないままとされる。
【００１７】
前記誘電性ハウジングは、好ましくは、複数のハウジング部分を有し、ここで、少なくとも１つの第１ハウジング部分は、前記蛇行形状ブランチを少なくとも実質的に取り囲み、少なくとも１つの第２ハウジングに部分は前記追加ブランチを少なくとも実質的に取り囲む。この場合、各ハウジング部分の形状は、その特定の放射目的のために最適化することができる。この点に関して、前記第１ハウジング部分と、前記少なくとも１つの第２ハウジング部分とを、互いに異なる誘電材から形成されることが考えられる。更に、各追加ブランチを第２ハウジング部分によって取り囲むことが好ましい。
【００１８】
前記誘電性ハウジングは、好ましくは、少なくとも部分的に、ポリマー、アルミナ、ケイ素、ＧａＡｓ、半導体、セラミック材、から成るグループから選択される材料から形成される。特に好適な実施例において、前記誘電性ハウジングは、少なくとも部分的に、たとえば、ガラスファイバで強化されたＰＰＯ等の、少なくとも１つの非ポリマー添加物を含む複合ポリマーから形成される。好ましくは、前記誘電性ハウジングの誘電率は６〜１８であり、これが、最善のアンテナ性能を提供することが示されている。前記誘電性ハウジングのサイズはさまざまなものとすることができるが、この誘電性ハウジングの幅は、好ましくは、０．８〜１ｃｍである。前記誘電性ハウジングの長さは、好ましくは、１〜２ｃｍである。好適実施例において、前記ハウジングの前記支持基板から離間する上面と、前記支持基板から離間する前記蛇行形状ブランチの面との間の距離は、０．９９〜２ｃｍである。
【００１９】
前記蛇行形状ブランチの湾曲部の数は少なくとも４つである。この最小数の湾曲部は、これによって最善のアンテナ性能が提供され、それと同時に、アンテナモジュールを可能な限りコンパクトなものに維持するので、好ましい。一般にスムースな湾曲部が、相対的に均一の放射パターンの実現に寄与する。更に、少なくとも１つのブランチの自由端は、好ましくは、テーパ形状を有する。
【００２０】
前記蛇行形状ブランチの最も近い部分の間の距離は、好ましくは、０．１〜１ｍｍである。これによって、遠位部分間に短絡を形成することなく、前記蛇行形状ブランチを可能な限りコンパクトな形状にすることが可能になる。追加ブランチの数は少なくとも１つであるが、但し特定の用途のためには、２〜６の更に多くの追加ブランチを使用することも可能である。
【００２１】
本発明は、更に、本発明によるアンテナモジュールを少なくとも一つ、そして、前記誘電体基板の、前記アンテナモジュールの前記ブランチの反対側に位置するグランドプレーンとして機能する少なくとも１つの導電性プレートとを有するアンテナにも関する。一般に、前記（実質的に平面状の）誘電性基板と前記（実質的に平面状の）グランドプレーンとは、実質的に平行に配置される。前記誘電体基板と前記グランドプレーンとは、好ましくは、互いに対して付着される。別実施例において、前記誘電体基板と前記グランドプレーンとは、互いから離間して配置され、相互に、（誘電性）空間又はエアギャップを取り囲む。一般に導電性プレート、導電性プレート状部材、から形成される前記グランドプレーンは、電話機等のモバイル装置の一部を構成するものとすることができる。その結果、前記モバイル装置の導電性ケースがグランドプレーンとして機能するように構成することができる。
【００２２】
本発明は、更に、本発明の前記アンテナを単数又は複数備える、モバイル通信装置、特に、電話機、タブレット、ラップトップ、にも関する。好ましくは、前記モバイル装置は、複数のモードで通信信号を交換するトランシーバ回路と、当該トランシーバ回路と多モードアンテナとの間でのインターフェース用の単一のポートとを有し、前記マルチモードアンテナは、第１モードにおける第１周波数での共振のための第１長と第１断面形状を有する蛇行形状ブランチと、第２モードにおける第２周波数での共振のための第２長と第２断面形状とを有する少なくとも１つの追加のブランチとを有する。
【００２３】
本発明は、更に、本発明のアンテナモジュールを製造する方法にも関し、これは、Ａ）の工程、即ち、好ましくは、堆積又はプリントによって、フィードインレットと、少なくとも１つの蛇行形状ブランチと、少なくとも１つの追加のブランチとを誘電体支持基板上に取り付ける工程を有する。前記方法は、好ましくは、更に、Ｂ）の工程、即ち、好ましくは成形によって、前記ブランチを少なくとも実質的に、誘電性ハウジング、好ましくは、ポリマー含有ハウジング、によって包囲する工程、を有する。工程Ａ）による前記堆積工程は、好ましくは、写真石版、メッキ、および／又は（３Ｄ）プリント処理等によって行われる。
【００２４】
本発明は、更に、本発明によるアンテナと、グランドプレーンとして機能する少なくとも１つの導電性プレート又はプレート状部材、とを組み立てる方法にも関する。前記導電性プレートは、モバイル装置の一部を構成するものとすることができ、ここで、前記アンテナモジュールは、前記モバイル装置のケーシング内に取り付けられて実際のアンテナを形成する。
【００２５】
本発明による前記アンテナおよび、当該アンテナの技術的作用効果を、添付の図面に図示の非限定的実施例を元に更に説明する。
【図面の簡単な説明】
【００２６】
【図１】本発明の第１実施例によるアンテナモジュールを略示した図である。
【図２】モバイル装置に取り付けられた、図１のアンテナモジュールを略示した図である。
【図３】二つの異なるフィードラインに対応する、二種類のアンテナポートの入力反射係数（ｄＢ単位）を略示した図である。
【図４Ａ】図３の二つのアンテナポートとこれら二つのアンテナポートを組み合わせる組み合わせポートとのアンテナ効率（％単位）を示した図である。
【図４Ｂ】従来使用されたアンテナの効率との比較での前記二つのアンテナポートの組み合わせアンテナ効率（％単位）を示した図である。
【図５】図３および図４の二つのポートを備えるアンテナによって実現されるゲインを示した図である。
【図６】本発明の第２実施例によるアンテナモジュールを略示した図である。
【発明を実施するための形態】
【００２７】
図１は、本発明の第１実施例によるアンテナモジュール（１）を略示し、これは、誘電体支持基板（２）と、当該基板（２）に取り付けられた二つのフィードライン（３，４）と、これらフィードライン（３，４）に接続されるとともに前記基板（２）に取り付けられた蛇行形状ブランチ（５）と、前記フィードライン（３，４）に接続されるとともに前記基板（２）に取り付けられた追加の共振ブランチ（６）とを有している。前記アンテナモジュール（１）は、たとえば、（不図示の）モバイル装置に使用される。前記モバイル（１）を前記（不図示の）モバイル装置に取り付けるために、前記基板（２）には、三つの穴（７）を設けることができ、これらを通して、たとえばネジを挿入することができる。
【００２８】
前記基板（２）は、たとえば、防炎性であるエポキシ樹脂バインダを含み、約０．５ｍｍの厚みの、織布ファイバグラスクロスから成る複合材である。前記基板（２）は、通常、例えば、前記（不図示の）モバイル装置の一部である、プリント回路基板（２）である。前記フィードライン（３，４）と前記蛇行形状ブランチ（５）とは、通常、銅等の金属トレース（５）から成る。
【００２９】
前記アンテナの蛇行形状ブランチ（５）は、比較的コンパクトであり、それによって、前記アンテナモジュール（１）を、（スマート）フォン又はタブレット等のモバイル（携帯）装置への組み込みに理想的なものとしている。
【００３０】
前記モジュール（１）の前記フィードライン（３，４）は、互いに異なり、その内の一つ（３）は他方（４）に対して長さ又は厚み等のサイズが異なる。図示の実施例において、フィードライン（３）は他方のフィードライン（４）と比較して、より細く短い。その結果、これら二つのフィードライン（３，４）の入力インピーダンスは異なり、それによって、前記共振ブランチ（６）における共振周波数が異なるものとなっている。これによって、前記アンテナモジュール（１）の、たとえば携帯電話機等に使用される異なるバンド幅に対するチューニングが良好なものとなっている。一方のフィードライン（３）は、たとえば、８５０ＭＨｚのＧＳＭ周波数バンドでの最適な機能性用にチューニングすることができ、他方のフィードライン（４）は、ＷＣＤＭＡ（Wideband Code Division Multiple Access）又はＬＴＥ（Long-Term Evolution）周波数での最適な機能性用にチューニングすることができる。
【００３１】
異なる周波数に対するチューニングは、又、前記フィードライン（３）に対する接続長の違う複数の共振ブランチを設けることによっても達成可能である。
【００３２】
図２は、モバイル装置（８）に取り付けられた図１のアンテナモジュール（１）を略示している。前記モジュール（１）は、前記基板（２）に形成された穴（７）に挿入された三本ネジ（９）によって前記モバイル装置（８）に取り付けられている。前記モバイル装置（８）は、更に、グランドプレーン（１０）として機能する導電性プレート（１０）を備えている。前記基板（２）は、この構成において、前記グランドプレーン（１０）に取り付けられる。
【００３３】
図３は、二つの異なるフィードラインに対応する二種類のアンテナポート（１１，１２）の入力反射係数（ｄＢ単位）を図示している。前記二つのポート（１１，１２）は、ＧＭＳ（８５０ＭＨｚ），ＷＣＤＭＡ（８５０，９００，１８００，１９００，２１００ＭＨｚ）およびＬＴＥ（８００，１８００，２６００ＭＨｚ）の周波数ハンドにチューニングする。
【００３４】
前記第１アンテナポート（１１）は、下記のような複数の周波数まわりでの入力反射の減少（ｄＢ単位）を示す、即ち、
−  ８００ＭＨｚ−８５０ＭＨｚ，（ＬＴＥ２０，ＷＣＤＭＡ５およびＧＳＭ）
−  １．３ＧＨｚ
−  １．７ＧＨｚ
−  １．９ＧＨｚ（ＤＣＳ，ＷＣＤＭＡ３，ＬＴＥ３）
−  ２．０ＧＨｚ（ＷＣＤＭＡ２，ＰＣＳ，）
−  ２．２ＧＨｚ（ＷＣＤＭＡ１）
−  ２．６ＧＨｚ（ＬＴＥ７）
【００３５】
前記第２ンテナポート（１２）、下記のような複数の周波数まわりでの入力反射の減少（ｄＢ単位）を示す、即ち、
−  ８００ＭＨｚ−８５０ＭＨｚ，（ＬＴＥ２０，ＷＣＤＭＡ５およびＧＳＭ）
−  １．１５ＧＨｚ
−  １．６５ＧＨｚ
−  ２．０ＧＨｚ（ＰＣＳ，ＷＣＤＭＡ２）
−  ２．２ＧＨｚ（ＷＣＤＭＡ１）
−  ２．３ＧＨｚ
−  ３．０ＧＨｚ
【００３６】
図４Ａは、図３の二つのアンテナポート（１１，１２）と、前記二つのアンテナポート（１１，１２）を組み合わせる組み合わせポート（１３）とのアンテナ効率（％単位）を図示している。前記二つのアンテナポート（１１，１２）の組み合わせは、両方の個別のアンテナポート（１１，１２）の効率を組み合わせるものである。
【００３７】
図４Ｂは、前記二つのアンテナポート（１１，１２）の組み合わせ（１３）アンテナ効率（単位％）を、従来技術、この場合、”ＧａｌａｘｙＳ４”として示されるサムスンの携帯電話、に使用されるアンテナ（１４）の効率と比較して示している。約９００ＭＨｚの周波数を例外として、前記アンテナは、公知のアンテナよりも遥かに高い効率を有している。
【００３８】
図５は、図３および図４の二つのポート（１１，１２）を備えるアンテナで実現されるゲインを示している。ＥＧＳＭとＷＣＤＭＡ８の９００ＭＨｚでの周波数を例外として、すべての周波数バンドが必要値を上回る最小測定値ｄＢｉを示している。平均で、９００ＭＨｚでの周波数は、必要値に近いか、ほぼ同等である。従って、前記二つのアンテナポート（１１，１２）の組み合わせによって、ゲインと効率とにおいて極めて優れたアンテナ性能が得られる。
【００３９】
図６は、本発明の第２実施例によるアンテナモジュール（２１）を概略図示し、これは、誘電体支持基板（２２）と、前記基板（２２）に取り付けられたフィードラインライン（２３）と、前記フィードライン（２３）に接続されるとともに前記基板（２２）に取り付けられた蛇行形状ブランチ（２５）と、前記フィードライン（２３）に接続されるとともに、前記基板（２２）に取り付けられた二つの追加の共振ブランチ（２４，２６）とを有している。このアンテナモジュール（２１）は、たとえば、（不図示の）モバイル装置に使用されるものである。
【００４０】
前記モバイル（２１）の前記共振ブランチ（２４，２６）は、互いに異なっており、一方（２４）が他方（２６）と比較して長さや厚み等のサイズの違いを有する。図示の実施例において、ブランチ（２６）は他方のブランチ（２４）よりも小さい。これによってこれら二つの共振ブランチ（２４，２６）の入力インピーダンスが異なるものとなっている。
【００４１】
前記二つのブランチ（２４，２６）は、本発明の前記第１実施例と同様に、特定の周波数バンドにチューニング可能に構成することができる。
【００４２】
本発明は図示しここに記載した実施例に限定されるものではなく、添付の請求項の範囲内において、当業者にとって自明であろう数多くのバリエーションが可能であることが明らかであろう。
【００４３】
この要約は、本開示内容内で詳細説明において提供される多くの教示内容およびこれらに基づくバリエーションを全部網羅するものではなく、本明細書の範囲内において開示される概念に対する導入を提供するものである。従って、本要約の内容は以下の請求項の範囲を限定するものと解釈されてはならない。
【００４４】
発明の概念は一連の具体例に例示されているが、これらのうちのいくつかの例は一つ以上の発明概念を示すものである。個々の発明概念は、一つの特定の例に提供されるすべての詳細無しで実施することが可能である。当業者は、種々の具体例に例示した本発明の概念は特定の用途に対応するべく組み合わせ可能であることを認識するであろうから、下記の発明の概念のすべての可能な組み合わせを提供することは不要であろう。
【００４５】
ここに開示した教示の、その他のシステム、方法および利点は、以下の図面と詳細説明を参照することによって当業者にとって明らかとなるであろう。そのような追加のシステム、方法、特徴および利点のすべてが添付の請求項の範囲に含まれ、それら請求項によって保護されるものとして意図される。
【図１】
2017504276.tif 000003
【図２】
2017504276.tif 000004
【図３】
2017504276.tif 000005
【図４Ａ】
2017504276.tif 000006
【図４Ｂ】
2017504276.tif 000007
【図５】
2017504276.tif 000008
【図６】
2017504276.tif 000009
【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
特に電話機等のモバイル装置に使用されるアンテナモジュール（１）であって、
少なくとも１つの誘電体支持基板（２）と、
前記誘電体支持基板（２）に取り付けられた少なくとも２つのフィードライン（３，４）と、
前記フィードライン（３，４）に接続されるとともに前記誘電体支持基板（２）に取り付けられた少なくとも１つの蛇行形状ブランチ（５）と、
前記フィードライン（３，４）および／又は前記蛇行形状ブランチ（５）に接続されるとともに、前記誘電体支持基板（２）に取り付けられた、少なくとも１つの追加の共振ブランチ（６）と、を有し、
ここで、前記少なくとも二つのフィードライン（３，４）は、互いに異なる入力インピーダンスレベルを有するとともに、互い異なる共振作用を有するように構成され、前記少なくとも二つのフィードライン（３，４）は、互いに異なる長さおよび／又は幅を有し、前記ブランチ（５，６）は実質的にフラットな形状を有し、そして、前記フィードライン（３，４）は、前記少なくとも１つの共通の蛇行形状ブランチ（５）に接続されているアンテナモジュール。
【請求項２】
前記誘電体支持基板（２）は、プリント回路基板（ＰＣＢ）である請求項１に記載のアンテナモジュール（１）。
【請求項３】
前記誘電体支持基板（２）は、少なくとも部分的に、ポリマー、特に、ファイバ強化ポリマーから形成されている請求項１又は２に記載のアンテナモジュール（１）。
【請求項４】
前記ブランチ（５，６）は、前記誘電体支持基板（２）にプリントされている請求項１〜３の何れか一項に記載のアンテナモジュール（１）。
【請求項５】
前記ブランチ（５，６）は、共通の平面に位置している請求項１〜４の何れか一項に記載のアンテナモジュール（１）。
【請求項６】
前記少なくとも１つの追加ブランチ（６）は、前記蛇行形状ブランチ（５）のサイドブランチである請求項１〜５の何れか一項に記載のアンテナモジュール（１）。
【請求項７】
複数の追加ブランチ（６）が使用される請求項１〜６の何れか一項に記載のアンテナモジュール（１）。
【請求項８】
少なくとも二つの追加ブランチ（６）が前記蛇行形状ブランチ（５）の両側に接続されている請求項６又は７に記載のアンテナモジュール（１）。
【請求項９】
前記少なくとも１つのフィードライン（３，４）の少なくとも一部分は前記誘電体支持基板（２）上にプリントされている請求項１〜８の何れか一項に記載のアンテナモジュール（１）。
【請求項１０】
前記アンテナモジュール（１）は、前記ブランチ（５，６）を少なくとも実質的に取り囲む少なくとも１つの誘電性ハウジングを有する請求項１〜９の何れか一項に記載のアンテナモジュール（１）。
【請求項１１】
前記少なくとも１つのフィードインレット（３，４）は、実質的に、前記誘電性ハウジングの外側に位置している請求項１０に記載のアンテナモジュール（１）。
【請求項１２】
前記ハウジングは、複数のハウジング部分を有し、少なくとも１つの第１ハウジング部分が前記蛇行形状ブランチ（５）を少なくとも実質的に取り囲み、少なくとも１つの第２ハウジング部分が前記追加ブランチ（６）を少なくとも実質的に取り囲んでいる請求項１０又は１１に記載のアンテナモジュール（１）。
【請求項１３】
前記第１ハウジング部分と前記少なくとも１つの第２ハウジング部分とは、互いに異なる誘電性材から形成されている請求項１２に記載のアンテナモジュール（１）。
【請求項１４】
前記誘電性ハウジングは、少なくとも部分的に、ポリマー、アルミナ、ケイ素、ＧａＡｓ、半導体およびセラミック材から成るグループから選択される材料によって形成されている請求項１０〜１３の何れか一項に記載のアンテナモジュール（１）。
【請求項１５】
前記誘電性ハウジングは、少なくとも部分的に、少なくとも一種類の非ポリマー添加物を含む複合ポリマーから形成されている請求項１４に記載のアンテナモジュール（１）。
【請求項１６】
前記誘電性ハウジングの誘電率は６〜１８である請求項１０〜１５の何れか一項に記載のアンテナモジュール（１）。
【請求項１７】
前記誘電性ハウジングの幅は、０．８〜１ｃｍである請求項１０〜１６の何れか一項に記載のアンテナモジュール（１）。
【請求項１８】
前記誘電性ハウジングの長さは、１〜２ｃｍである請求項１０〜１７の何れか一項に記載のアンテナモジュール（１）。
【請求項１９】
前記ハウジングの前記誘電体支持基板（２）から離間する上面と、前記誘電体支持基板（２）から離間する前記蛇行形状ブランチ（５）の面との間の距離は、０．９９〜２ｃｍである請求項１０〜１８の何れか一項に記載のアンテナモジュール（１）。
【請求項２０】
少なくとも１つの追加ブランチ（６）は実質的にリニアなオリエンテーションを有する請求項１〜１９の何れか一項に記載のアンテナモジュール（１）。
【請求項２１】
前記アンテナは、次のバンド幅、即ち、セルラーＧＳＭ，ＬＴＥ，ＷＣＤＭＡおよび／又はＷｉＦｉの少なくとも１つで作動するように構成されている請求項１〜２０の何れか一項に記載のアンテナモジュール（１）。
【請求項２２】
各ブランチ（５，６）は、導電性材、好ましくは金属、特に銅から形成されている請求項１〜２１の何れか一項に記載のアンテナモジュール（１）。
【請求項２３】
前記蛇行形状ブランチ（５）の湾曲部の数は少なくとも４つである請求項１〜２２の何れか一項に記載のアンテナモジュール（１）。
【請求項２４】
前記蛇行形状ブランチ（５）は、実質的にスムースな湾曲部を有する請求項１〜２３の何れか一項に記載のアンテナモジュール（１）。
【請求項２５】
少なくとも１つのブランチ（５，６）の自由端は、テーパ形状を有する請求項１〜２４の何れか一項に記載のアンテナモジュール（１）。
【請求項２６】
前記蛇行形状ブランチ（５）の外側幅は、０．８〜１ｃｍである請求項１〜２５の何れか一項に記載のアンテナモジュール（１）。
【請求項２７】
前記蛇行形状ブランチ（５）の外側長さは、１〜２ｃｍである請求項１〜２６の何れか一項に記載のアンテナモジュール（１）。
【請求項２８】
前記蛇行形状ブランチ（５）の全長は、５〜１５ｃｍである請求項１〜２７の何れか一項に記載のアンテナモジュール（１）。
【請求項２９】
前記蛇行形状ブランチ（５）の幅は、０．２５〜１．５ｍｍである請求項１〜２８の何れか一項に記載のアンテナモジュール（１）。
【請求項３０】
前記蛇行形状ブランチ（５）の厚みは、１０〜４０ミクロンである請求項１〜２９の何れか一項に記載のアンテナモジュール（１）。
【請求項３１】
前記蛇行形状ブランチ（５）の二つの最も近い部分の間の距離は０．１〜１ｍｍである請求項１〜３０の何れか一項に記載のアンテナモジュール（１）。
【請求項３２】
追加ブランチ（６）の数は２〜６である請求項１〜３１の何れか一項に記載のアンテナモジュール（１）。
【請求項３３】
前記アンテナは、少なくとも実質的に前記誘電性ハウジングによって取り囲まれた複数の蛇行形状ブランチ（５）を有する請求項１〜３２の何れか一項に記載のアンテナモジュール（１）。
【請求項３４】
前記誘電体支持基板（２）は実質的にブロック形状である請求項１〜３３の何れか一項に記載のアンテナモジュール（１）。
【請求項３５】
アンテナであって、
請求項１〜３４のいずれかのアンテナモジュール（１）を少なくとも一つ、および、
前記誘電体支持基板（２）の、前記アンテナモジュール（１）の前記ブランチ（５，６）の反対側に位置し、グランドプレーンとして機能する少なくとも１つの伝導性プレート、を有するアンテナ。
【請求項３６】
前記誘電体支持基板（２）と前記グランドプレーンとは平行に配置されている請求項３５に記載のアンテナ。
【請求項３７】
前記誘電体支持基板（２）と前記グランドプレーンとは互いに取り付けられている請求項３５又は３６に記載のアンテナ。
【請求項３８】
前記誘電体支持基板（２）と前記グランドプレーンとは、互いに離間して配置され、互いに空間を包囲している請求項３５又は３６に記載のアンテナ。
【請求項３９】
請求項３５〜３８の何れか一項に記載のアンテナを少なくとも１つ有する、モバイル装置（８）、特に電話機。
【請求項４０】
マルチモードで通信信号を交換するトランシーバ回路、および、
前記トランシーバ回路とマルチモードアンテナとの間をインターフェースする単一のポートを有し、
前記マルチモードアンテナは、第１モードで第１周波数での共振用の第１長さと第１断面形状とを有する蛇行形状ブランチ（５）と、第２モードで第２周波数での共振用の第２長さと第２断面形状とを有する少なくとも１つの追加のブランチ（６）とを有する請求項４９に記載のモバイル装置（８）。
【請求項４１】
請求項１〜３４の何れか一項に記載のアンテナモジュール（１）の製造方法であって、
（Ａ）複数のフィードライン（３，４）と、少なくとも１つの蛇行形状ブランチ（５）と、少なくとも１つの追加のブランチ（６）とを誘電体支持基板（２）上に取り付ける、好ましくは、堆積する、工程、
ここで、前記少なくとも二つのフィードライン（３，４）は、互いに異なる入力インピーダンスレベルを有するとともに、互い異なる共振作用を有するように構成されて、前記少なくとも二つのフィードライン（３，４）は、互いに異なる長さおよび／又は幅を有し、前記ブランチ（５，６）は実質的にフラットな形状を有し、そして、前記フィードライン（３，４）は、前記少なくとも１つの共通の蛇行形状ブランチ（５）に接続されている、アンテナモジュールの製造方法。
【請求項４２】
更に、以下からなる工程（Ｂ）、即ち、前記ブランチ（５，６）を少なくとも実質的に、誘電性ハウジング、好ましくは、ポリマー含有ハウジングによって、取り囲む、好ましくは、成形によって取り囲む工程、を有する請求項４１に記載のアンテナモジュールの製造方法。
【請求項４３】
前記工程（Ａ）の堆積工程は、写真石版および／又はメッキによって行われる請求項４１〜４２の何れか一項に記載のアンテナモジュールの製造方法。
【請求項４４】
請求項３５〜３８の何れか一項に記載のアンテナを組み立てる方法であって、
請求項１〜３４の何れか一項に記載のアンテナモジュール（１）と、グランドプレーンとして機能する少なくとも１つの導電性プレートとを組み合わせる工程を有するアンテナを組み立てる方法。
【請求項４５】
前記導電性プレートは、モバイル装置（８）の一部を形成し、前記アンテナモジュールは、前記モバイル装置のケーシング内に取り付けられる請求項４４に記載のアンテナを組み立てる方法。
【手続補正２】
【補正対象書類名】明細書
【補正対象項目名】全文
【補正方法】変更
【補正の内容】
【発明の詳細な説明】
【技術分野】
【０００１】
本発明は、アンテナモジュール、特に電話機等のモバイル装置に使用されるアンテナモジュールに関する。本発明は、本発明による前記アンテナモジュールを少なくとも一つ有する、アンテナ、特に電話機等のモバイル装置に使用されるアンテナに関する。本発明は、更に、本発明による前記アンテナを少なくとも１つ有するモバイル装置にも関する。本発明は、更に、本発明によるアンテナを製造し組み立てる方法にも関する。
【背景技術】
【０００２】
通信システムには、ＧＳＭ，ＤＣＳ，ＰＣＳ，ＤＡＭＰＳその他等、多くの異なるタイプが存在するので、共通のエリアに対してサービスを提供するために異なるタイプのシステムを持つことが益々可能となってきている。これらのシステムは、通常、異なる周波数レンジで作動する。例えば、ＧＳＭは通常８９０−９６０ＭＨＺで作動し、ＤＣＳは通常１７１０−１８８０ＭＨＺで作動する。通信装置が複数のバンドで作動することを可能にするべく異なる周波数で共振することが可能なアンテナである、マルチモードアンテナがしばしば使用される。公知のアンテナには複数の欠点がある。能率が低く、インピーダンスマッチングの程度が低いためにアンテナはかなり大きなバッテリパワーを消費する。更に、公知のアンテナは、望ましく必要であるよりも大きな空間を占有する。
【０００３】
特許文献１は、モバイルターミナル内部アンテナとモバイルターミナルを記載している。前記内部アンテナは、第１アンテナ主部分と、当該第１アンテナ主部分の下方部に接続された二つのフィードポイントとを有する。前記第１アンテナ主部分において、中周波数バンドの共振ポイントを形成するトレース部分が直線形状で水平に延出し、低周波数バンドの共振ポイントを形成するトレース部分は歯形状で水平に延出している。
【０００４】
特許文献２は、ベースと、第１放射部材と、第２放射部材とを有するアンテナを記載している。前記第１放射部材は、その第１端部が開放され、その第２端部はグランドポイントに接続され、第１通信周波数バンドにおいて実質的に１／４波長モードで共振する。フィードラインが、第１フィードポイントと、前記第１放射部材の前記第１端部と前記第２端部との間の所定位置との間に接続されている。前記第２放射部材は、第２フィードポイントである第１端部と、前記グランドポイントに接続された第２端部とを有し、第２通信周波数バンドで実質的に１／２周波数モードで共振する。前記グランドポイントから前記第２フィードポイントへの距離は、前記グランドポイントから前記第１フィードポイントへの距離よりも長い。
【先行技術文献】
【特許文献】
【０００５】
【特許文献１】中国特許公告第２０１９８５２４８号
【特許文献２】米国特許公告第２０１１／０１０２２６８号
【発明の概要】
【発明が解決しようとする課題】
【０００６】
本発明の第１の目的は、特に、携帯（スマートフォン）電話等の、モバイル装置に使用される改善されたアンテナモジュールを提供することにある。
【課題を解決するための手段】
【０００７】
本発明は、請求項１によるアンテナを提供することによって、上述した諸問題を解決するとともに、更なる利点を達成するものである。本発明によるアンテナモジュールは、電話機等のモバイル装置での使用に理想的な、グランドプレーンと組み合わされてアンテナを形成するアンテナコンポーネントを構成する。前記グランドプレーンは、前記モバイル装置の一部を形成する、導電性プレート、又は導電性部材、によって形成することができる。前記アンテナモジュールを、一般に別体のコンポーネントとして、前記モバイル装置上、又はモバイル装置内に、前記導電性プレート又は部材が、グランドプレーンとして作用することが可能な状態に搭載又は取り付けることによって、前記モバイル装置に、非常にコンパクトで高性能なアンテナを効率的に備えさせることが可能となる。この目的のために、前記アンテナモジュールは、好ましくは、グランドプレーンとして機能する前記導電性プレート又は部材の上に配設され、ここで、前記グランドプレーンと、ブランチ（branches）およびフィードライン（単数又は複数）は、誘電体基板、そして、最終的には、エアギャップ等の別の絶縁層、によって互い物理的に分離されている。
【０００８】
本出願は、ここにそれらの開示内容を参考文献として合体させる、２０１４年１月２４日出願のオランダ特許出願第２０１２１３１号と、２０１４年１２月１０日出願のオランダ特許出願第２０１３９５１号、との優先権を主張するものである。
【０００９】
本発明による前記アンテナモジュールは、グランドプレーンと共に、複数の共振周波数にチューニング可能なマルチバンド、マルチブランチアンテナ、を形成するように構成される。その蛇行形状のブランチにより、前記アンテナモジュールは比較的コンパクトであり、それによって、このアンテナモジュールを（スマート）フォン、やタブレット等のモバイル（携帯）装置への組み込み用に理想的なものとしている。前記アンテナの複数の共振（たとえば、Ｗｉ−Ｆｉ，ＧＳＭ（登録商標），ＤＣＳ，ＬＴＥ，ＷＣＤＭＡ（登録商標）又はＰＣＳに対応）は、前記アンテナブランチのプリントパターンにバリエーションを提供することによって達成される。好ましくは、前記蛇行形状ブランチ（最長ブランチ）は、相対的に低い周波数、特に、ＧＳＭバンド（８９０−９６０ＭＨｚ）内で作動するように設計され、これに対して、前記少なくとも１つの追加のブランチ（短いブランチ）は、比較的高い周波数バンド、特に、ＤＣＳ／ＰＣＳバンド（１７１０−１８８０／１８５０−１９９０ＭＨｚ）、ＷＬＡＮ周波数バンド（２４００−２４８４ＭＨｚ）、又はＬＴＥ周波数バンド（たとえば、１８００−２６００ＭＨｚ）内で作動されるように設計される。これらのブランチは、前記装置の特定周波数バンドにおいて追加の共振プロセスを励起することによって、前記アンテナのインピーダンスマッチングを改善するために使用される。複数のブランチ、好ましくは、複数の追加のブランチ、特に、前記蛇行形状ブランチの複数のサイドブランチ、の利用は、戻り損失と、作動周波数バンドの数とにおいてアンテナの性能を改善するために好適である。
【００１０】
前記ブランチは、実質的にフラットな形状を有する。前記ブランチは、一般に、互いに接続された複数の細いトラックによって形成される。前記ブランチの典型的な厚みは、１０〜４０ミクロンである。好ましくは、前記蛇行形状ブランチの外側幅は、０．８〜１ｃｍである。そのような前記蛇行形状ブランチの外側長さは、好ましくは１〜２ｃｍである。そのような前記蛇行形状ブランチの全長は、好ましくは、５〜１５ｃｍである。そのような前記蛇行形状ブランチの幅は、好ましくは０．２５〜１．５ｍｍである。設計自由度を増大するべく前記ブランチの形状は変えることが可能である。前記フィードラインは少なくとも１つの共通の蛇行形状ブランチに接続される。
【００１１】
本発明のアンテナの実施例は、以下の記載と従属クレームとに記載される。
【００１２】
前記誘電体支持基板は、好ましくは、プリント回路基板（ＰＣＢ）によって形成される。このＰＣＢは、又、その内部に前記アンテナモジュールが取り付け可能な、電話機、タブレット、又はラップトップ、等のモバイル装置に関連する（他の）回路のキャリアとすることも可能である。前記ＰＣＢは、一般に、フラットオリエンテーションを有し、多くの場合、前記アンテナモジュールの、前記モバイル装置内又は当該装置上の取り付けを容易にするために単数又は複数のネジ穴を備えている。前記ＰＣＢは、クロス又は紙の層を、熱硬化性樹脂と加圧加熱によって硬化させて均一な厚みの一体最終ピースを形成することによって製造されるラミネートによって形成される。クロスの織り（１インチ又はセンチ当たりの糸）、クロスの厚み、樹脂含有率、を変化させることによって、所望の最終厚みと誘電特性とを達成する。前記通常のＰＣＢ材に代えて、前記誘電体基板は、又、少なくとも部分的にポリマー、特に、ファイバ強化ポリマーから形成することも可能である。適当なポリマーは、約４の相対誘電率（εｒ）を有するポリ（酸化プロピレン）（ＰＰＯ）である。このポリマーの強化は、ガラスファイバを添加することによって達成することができ、それによって、複合材が得られる。前記基板の製造のために使用されるその他の誘電性複合材も考えられる。
【００１３】
前記ブランチは、好ましくは、公知の技術を使用して前記基板上にプリントされる。一般に、前記ブランチは、導電性材、好ましくは、金属、より好ましくは銅、から形成される。プリントによって、ブランチパターンを容易かつ高精度に、前記支持基板の表面上に実現することができる。エッチング等のその他の技術も、利用可能であるが、但し、それらは一般により複雑でコスト高であるために好適性は低い。
【００１４】
好ましくは、前記ブランチは、共通の平面に配置される。好ましくは、同様に同じ共通平面に配置されるフィードインレット（単数又は複数）も同様である。この場合、前記誘電体支持基板の単一の表面が前記ブランチ（およびフィードインレット（単数又は複数））によってカバーされ、これによって前記アンテナモジュールの取り付けと設置が容易になる。
【００１５】
好ましくは、高周波数制御アームとして機能する前記少なくとも１つの追加のブランチは、前記蛇行形状ブランチのサイドブランチである。或いは、前記少なくとも１つの追加のブランチは、単数又は複数のフィードインレットのサイドブランチである。両方の実施例の組み合わせも考えられる。複数の追加ブランチを使用することによってアンテナ性能を更に改善することができる。後者の場合、最善の性能改善を達成するために、好ましくは、少なくも二つの追加ブランチが、前記蛇行形状ブランチの両側に接続される。本発明の前記マルチブランチアンテナ（モジュール）は、マッチングネットワーク無しで、様々な周波数での共振を達成する。前記アンテナブランチがプリントによって形成される場合、物理的誤差の問題が回避される。
【００１６】
好ましくは、前記蛇行形状ブランチは、第１の周波数での共振のための第１長と第１断面形状を有し、これに対して前記少なくとも１つの追加ブランチは、第２の周波数での共振のための第２長と第２断面形状を有する。勿論、前記ブランチのサイズは、好ましくは、これらブランチが所望の周波数バンド内で作動するのに適したものとなるように選択される。前記第１および第２断面形状は、実質的に類似のものとすることができる。更に具体的には、これら第１および第２断面形状は、好ましくは、実質的に円筒状であり、所望のバンド幅とサイズを達成するために選択される直径を有する。
【００１７】
各ブランチは、その上に別の金属辺ラインパターンが形成されたフレキシブルな誘電性膜を備えることができる。
【００１８】
前記ブランチは、一般的には、共通の平面に配置されて、２Ｄ構造のブランチを形成するものとされるが、更に、これらブランチのそれぞれ、又は、これらブランチ全部で、より空間的な３Ｄ構成を有するようにすることも考えられる。アンテナの体積占有の要件と、ホストプラットフォームとの統合においてあり得る制約要件とに応じて、両方の実施態様が可能である。
【００１９】
好ましくは、更に、前記少なくとも１つのフィードラインの少なくとも一部分は、上述したのと同じ理由によって前記基板上にプリントされる。前記少なくとも１つのフィードラインの形状が、前記共振周波数を決定する。前記基板に取り付けられた複数のフィードラインを使用することが非常に有利でありうる。すべてのフィードラインは、好ましくは、少なくとも１つの共通の（集合的な）蛇行形状ブランチに接続される。少なくとも二つのフィードラインは、互いに異なる入力インピーダンスレベルを有する、および／又は、互いに異なる共振作用を備えるように構成される。これによってそのようなマルチフィード（マルチポート）アンテナモジュールを有する単一のアンテナが、異なる周波数バンドで（同時に）作動することが可能となる。このアンテナ構造によって、最大４ｄＢのゲイン（これは従来のアンテナよりも２倍優れている）を実現することが可能であり、アンテナ効率を最大６５％増大させることが可能である。これによって（ＧＳＭバンドにおける）変換品質が改善され、拡大された無線カバレッジによってデータ転送速度を増大させることが可能である。このマルチバンドカバレッジを達成するために、前記少なくとも二つのフィードラインが互いに異なる形状、特に、互いに異なる長さ、厚み、幅、および／又は導電性、を有する。
【００２０】
前記アンテナモジュールは、好ましくは、前記ブランチを少なくとも実質的に取り囲む少なくとも１つの誘電性ハウジングを有する。この誘電性ハウジングによって、前記ブランチは物理的ダメージから保護され、更に、これらブランチの酸化を防止する。更に、この誘電性ハウジングは、共振器、および／又は、レンズとして機能し、その形状は、放射パターンとアンテナ性能とに影響し、それによって、更に、前記アンテナモジュールを小型化することも可能にする。従って、前記少なくとも１つの誘電性ハウジングを提供することによって、アンテナモジュールのより大きな設計自由度が提供され、その結果、特定の用途ための最適なアンテナモジュール設計をより容易に達成することが可能となる。前記少なくとも１つのフィードインレットは、好ましくは、実質的に誘電性ハウジングの外側に位置する。フィードインレットは、一般に、設置中、電源に接続され、従って、好ましくは、少なくとも部分的にはカバーされないままとされる。
【００２１】
前記誘電性ハウジングは、好ましくは、複数のハウジング部分を有し、ここで、少なくとも１つの第１ハウジング部分は、前記蛇行形状ブランチを少なくとも実質的に取り囲み、少なくとも１つの第２ハウジングに部分は前記追加ブランチを少なくとも実質的に取り囲む。この場合、各ハウジング部分の形状は、その特定の放射目的のために最適化することができる。この点に関して、前記第１ハウジング部分と、前記少なくとも１つの第２ハウジング部分とを、互いに異なる誘電材から形成されることが考えられる。更に、各追加ブランチを第２ハウジング部分によって取り囲むことが好ましい。
【００２２】
前記誘電性ハウジングは、好ましくは、少なくとも部分的に、ポリマー、アルミナ、ケイ素、ＧａＡｓ、半導体、セラミック材、から成るグループから選択される材料から形成される。特に好適な実施例において、前記誘電性ハウジングは、少なくとも部分的に、たとえば、ガラスファイバで強化されたＰＰＯ等の、少なくとも１つの非ポリマー添加物を含む複合ポリマーから形成される。好ましくは、前記誘電性ハウジングの誘電率は６〜１８であり、これが、最善のアンテナ性能を提供することが示されている。前記誘電性ハウジングのサイズはさまざまなものとすることができるが、この誘電性ハウジングの幅は、好ましくは、０．８〜１ｃｍである。前記誘電性ハウジングの長さは、好ましくは、１〜２ｃｍである。好適実施例において、前記ハウジングの前記支持基板から離間する上面と、前記支持基板から離間する前記蛇行形状ブランチの面との間の距離は、０．９９〜２ｃｍである。
【００２３】
前記蛇行形状ブランチの湾曲部の数は少なくとも４つである。この最小数の湾曲部は、これによって最善のアンテナ性能が提供され、それと同時に、アンテナモジュールを可能な限りコンパクトなものに維持するので、好ましい。一般にスムースな湾曲部が、相対的に均一の放射パターンの実現に寄与する。更に、少なくとも１つのブランチの自由端は、好ましくは、テーパ形状を有する。
【００２４】
前記蛇行形状ブランチの最も近い部分の間の距離は、好ましくは、０．１〜１ｍｍである。これによって、遠位部分間に短絡を形成することなく、前記蛇行形状ブランチを可能な限りコンパクトな形状にすることが可能になる。追加ブランチの数は少なくとも１つであるが、但し特定の用途のためには、２〜６の更に多くの追加ブランチを使用することも可能である。
【００２５】
本発明は、更に、本発明によるアンテナモジュールを少なくとも一つ、そして、前記誘電体基板の、前記アンテナモジュールの前記ブランチの反対側に位置するグランドプレーンとして機能する少なくとも１つの導電性プレートとを有するアンテナにも関する。一般に、前記（実質的に平面状の）誘電性基板と前記（実質的に平面状の）グランドプレーンとは、実質的に平行に配置される。前記誘電体基板と前記グランドプレーンとは、好ましくは、互いに対して付着される。別実施例において、前記誘電体基板と前記グランドプレーンとは、互いから離間して配置され、相互に、（誘電性）空間又はエアギャップを取り囲む。一般に導電性プレート、導電性プレート状部材、から形成される前記グランドプレーンは、電話機等のモバイル装置の一部を構成するものとすることができる。その結果、前記モバイル装置の導電性ケースがグランドプレーンとして機能するように構成することができる。
【００２６】
本発明は、更に、本発明の前記アンテナを単数又は複数備える、モバイル通信装置、特に、電話機、タブレット、ラップトップ、にも関する。好ましくは、前記モバイル装置は、複数のモードで通信信号を交換するトランシーバ回路と、当該トランシーバ回路と多モードアンテナとの間でのインターフェース用の単一のポートとを有し、前記マルチモードアンテナは、第１モードにおける第１周波数での共振のための第１長と第１断面形状を有する蛇行形状ブランチと、第２モードにおける第２周波数での共振のための第２長と第２断面形状とを有する少なくとも１つの追加のブランチとを有する。
【００２７】
本発明は、更に、本発明のアンテナモジュールを製造する方法にも関し、これは、Ａ）の工程、即ち、好ましくは、堆積又はプリントによって、複数のフィードインレットと、少なくとも１つの蛇行形状ブランチと、少なくとも１つの追加のブランチとを誘電体支持基板上に取り付ける工程を有し、ここで、前記少なくとも二つのフィードラインは互いに異なる入力インピーダンスレベルを有するとともに、互いに異なる共振作用を有するように構成され、そして前記少なくとも二つのフィードラインは互いに異なる長さおよび／又は幅、を有する。
【００２８】
前記方法は、好ましくは、更に、Ｂ）の工程、即ち、好ましくは成形によって、前記ブランチを少なくとも実質的に、誘電性ハウジング、好ましくは、ポリマー含有ハウジング、によって包囲する工程、を有する。工程Ａ）による前記堆積工程は、好ましくは、写真石版、メッキ、および／又は（３Ｄ）プリント処理等によって行われる。
【００２９】
本発明は、更に、本発明によるアンテナと、グランドプレーンとして機能する少なくとも１つの導電性プレート又はプレート状部材、とを組み立てる方法にも関する。前記導電性プレートは、モバイル装置の一部を構成するものとすることができ、ここで、前記アンテナモジュールは、前記モバイル装置のケーシング内に取り付けられて実際のアンテナを形成する。
【００３０】
本発明による前記アンテナおよび、当該アンテナの技術的作用効果を、添付の図面に図示の非限定的実施例を元に更に説明する。
【図面の簡単な説明】
【００３１】
【図１】本発明の第１実施例によるアンテナモジュールを略示した図である。
【図２】モバイル装置に取り付けられた、図１のアンテナモジュールを略示した図である。
【図３】二つの異なるフィードラインに対応する、二種類のアンテナポートの入力反射係数（ｄＢ単位）を略示した図である。
【図４Ａ】図３の二つのアンテナポートとこれら二つのアンテナポートを組み合わせる組み合わせポートとのアンテナ効率（％単位）を示した図である。
【図４Ｂ】従来使用されたアンテナの効率との比較での前記二つのアンテナポートの組み合わせアンテナ効率（％単位）を示した図である。
【図５】図３および図４の二つのポートを備えるアンテナによって実現されるゲインを示した図である。
【図６】本発明ではない、第２実施例によるアンテナモジュールを略示した図である。
【発明を実施するための形態】
【００３２】
図１は、本発明の第１実施例によるアンテナモジュール（１）を略示し、これは、誘電体支持基板（２）と、当該基板（２）に取り付けられた二つのフィードライン（３，４）と、これらフィードライン（３，４）に接続されるとともに前記基板（２）に取り付けられた蛇行形状ブランチ（５）と、前記フィードライン（３，４）に接続されるとともに前記基板（２）に取り付けられた追加の共振ブランチ（６）とを有している。前記アンテナモジュール（１）は、たとえば、（不図示の）モバイル装置に使用される。前記モバイル（１）を前記（不図示の）モバイル装置に取り付けるために、前記基板（２）には、三つの穴（７）を設けることができ、これらを通して、たとえばネジを挿入することができる。
【００３３】
前記基板（２）は、たとえば、防炎性であるエポキシ樹脂バインダを含み、約０．５ｍｍの厚みの、織布ファイバグラスクロスから成る複合材である。前記基板（２）は、通常、例えば、前記（不図示の）モバイル装置の一部である、プリント回路基板（２）である。前記フィードライン（３，４）と前記蛇行形状ブランチ（５）とは、通常、銅等の金属トレース（５）から成る。
【００３４】
前記アンテナの蛇行形状ブランチ（５）は、比較的コンパクトであり、それによって、前記アンテナモジュール（１）を、（スマート）フォン又はタブレット等のモバイル（携帯）装置への組み込みに理想的なものとしている。
【００３５】
前記モジュール（１）の前記フィードライン（３，４）は、互いに異なり、その内の一つ（３）は他方（４）に対して長さ又は厚み等のサイズが異なる。図示の実施例において、フィードライン（３）は他方のフィードライン（４）と比較して、より細く短い。その結果、これら二つのフィードライン（３，４）の入力インピーダンスは異なり、それによって、前記共振ブランチ（６）における共振周波数が異なるものとなっている。これによって、前記アンテナモジュール（１）の、たとえば携帯電話機等に使用される異なるバンド幅に対するチューニングが良好なものとなっている。一方のフィードライン（３）は、たとえば、８５０ＭＨｚのＧＳＭ周波数バンドでの最適な機能性用にチューニングすることができ、他方のフィードライン（４）は、ＷＣＤＭＡ（Wideband Code Division Multiple Access）又はＬＴＥ（Long-Term Evolution）周波数での最適な機能性用にチューニングすることができる。
【００３６】
異なる周波数に対するチューニングは、又、前記フィードライン（３）に対する接続長の違う複数の共振ブランチを設けることによっても達成可能である。
【００３７】
図２は、モバイル装置（８）に取り付けられた図１のアンテナモジュール（１）を略示している。前記モジュール（１）は、前記基板（２）に形成された穴（７）に挿入された三本ネジ（９）によって前記モバイル装置（８）に取り付けられている。前記モバイル装置（８）は、更に、グランドプレーン（１０）として機能する導電性プレート（１０）を備えている。前記基板（２）は、この構成において、前記グランドプレーン（１０）に取り付けられる。
【００３８】
図３は、二つの異なるフィードラインに対応する二種類のアンテナポート（１１，１２）の入力反射係数（ｄＢ単位）を図示している。前記二つのポート（１１，１２）は、ＧＭＳ（８５０ＭＨｚ），ＷＣＤＭＡ（８５０，９００，１８００，１９００，２１００ＭＨｚ）およびＬＴＥ（８００，１８００，２６００ＭＨｚ）の周波数ハンドにチューニングする。
【００３９】
前記第１アンテナポート（１１）は、下記のような複数の周波数まわりでの入力反射の減少（ｄＢ単位）を示す、即ち、
−  ８００ＭＨｚ−８５０ＭＨｚ，（ＬＴＥ２０，ＷＣＤＭＡ５およびＧＳＭ）
−  １．３ＧＨｚ
−  １．７ＧＨｚ
−  １．９ＧＨｚ（ＤＣＳ，ＷＣＤＭＡ３，ＬＴＥ３）
−  ２．０ＧＨｚ（ＷＣＤＭＡ２，ＰＣＳ，）
−  ２．２ＧＨｚ（ＷＣＤＭＡ１）
−  ２．６ＧＨｚ（ＬＴＥ７）
【００４０】
前記第２ンテナポート（１２）、下記のような複数の周波数まわりでの入力反射の減少（ｄＢ単位）を示す、即ち、
−  ８００ＭＨｚ−８５０ＭＨｚ，（ＬＴＥ２０，ＷＣＤＭＡ５およびＧＳＭ）
−  １．１５ＧＨｚ
−  １．６５ＧＨｚ
−  ２．０ＧＨｚ（ＰＣＳ，ＷＣＤＭＡ２）
−  ２．２ＧＨｚ（ＷＣＤＭＡ１）
−  ２．３ＧＨｚ
−  ３．０ＧＨｚ
【００４１】
図４Ａは、図３の二つのアンテナポート（１１，１２）と、前記二つのアンテナポート（１１，１２）を組み合わせる組み合わせポート（１３）とのアンテナ効率（％単位）を図示している。前記二つのアンテナポート（１１，１２）の組み合わせは、両方の個別のアンテナポート（１１，１２）の効率を組み合わせるものである。
【００４２】
図４Ｂは、前記二つのアンテナポート（１１，１２）の組み合わせ（１３）アンテナ効率（単位％）を、従来技術、この場合、”ＧａｌａｘｙＳ４”として示されるサムスンの携帯電話、に使用されるアンテナ（１４）の効率と比較して示している。約９００ＭＨｚの周波数を例外として、前記アンテナは、公知のアンテナよりも遥かに高い効率を有している。
【００４３】
図５は、図３および図４の二つのポート（１１，１２）を備えるアンテナで実現されるゲインを示している。ＥＧＳＭとＷＣＤＭＡ８の９００ＭＨｚでの周波数を例外として、すべての周波数バンドが必要値を上回る最小測定値ｄＢｉを示している。平均で、９００ＭＨｚでの周波数は、必要値に近いか、ほぼ同等である。従って、前記二つのアンテナポート（１１，１２）の組み合わせによって、ゲインと効率とにおいて極めて優れたアンテナ性能が得られる。
【００４４】
図６は、本発明ではない第２実施例によるアンテナモジュール（２１）を概略図示し、これは、誘電体支持基板（２２）と、前記基板（２２）に取り付けられたフィードラインライン（２３）と、前記フィードライン（２３）に接続されるとともに前記基板（２２）に取り付けられた蛇行形状ブランチ（２５）と、前記フィードライン（２３）に接続されるとともに、前記基板（２２）に取り付けられた二つの追加の共振ブランチ（２４，２６）とを有している。このアンテナモジュール（２１）は、たとえば、（不図示の）モバイル装置に使用されるものである。
【００４５】
前記モバイル（２１）の前記共振ブランチ（２４，２６）は、互いに異なっており、一方（２４）が他方（２６）と比較して長さや厚み等のサイズの違いを有する。図示の実施例において、ブランチ（２６）は他方のブランチ（２４）よりも小さい。これによってこれら二つの共振ブランチ（２４，２６）の入力インピーダンスが異なるものとなっている。
【００４６】
前記二つのブランチ（２４，２６）は、本発明の前記第１実施例と同様に、特定の周波数バンドにチューニング可能に構成することができる。
【００４７】
本発明は図示しここに記載した実施例に限定されるものではなく、添付の請求項の範囲内において、当業者にとって自明であろう数多くのバリエーションが可能であることが明らかであろう。
【００４８】
この要約は、本開示内容内で詳細説明において提供される多くの教示内容およびこれらに基づくバリエーションを全部網羅するものではなく、本明細書の範囲内において開示される概念に対する導入を提供するものである。従って、本要約の内容は以下の請求項の範囲を限定するものと解釈されてはならない。
【００４９】
発明の概念は一連の具体例に例示されているが、これらのうちのいくつかの例は一つ以上の発明概念を示すものである。個々の発明概念は、一つの特定の例に提供されるすべての詳細無しで実施することが可能である。当業者は、種々の具体例に例示した本発明の概念は特定の用途に対応するべく組み合わせ可能であることを認識するであろうから、下記の発明の概念のすべての可能な組み合わせを提供することは不要であろう。
【００５０】
ここに開示した教示の、その他のシステム、方法および利点は、以下の図面と詳細説明を参照することによって当業者にとって明らかとなるであろう。そのような追加のシステム、方法、特徴および利点のすべてが添付の請求項の範囲に含まれ、それら請求項によって保護されるものとして意図される。
【手続補正書】
【提出日】平成28年9月27日(2016.9.27)
【手続補正１】
【補正対象書類名】特許請求の範囲
【補正対象項目名】全文
【補正方法】変更
【補正の内容】
【特許請求の範囲】
【請求項１】
特に電話機等のモバイル装置に使用されるアンテナモジュール（１）であって、
少なくとも１つの誘電体支持基板（２）と、
前記誘電体支持基板（２）に取り付けられた少なくとも２つのフィードライン（３，４）と、
前記フィードライン（３，４）に接続されるとともに前記誘電体支持基板（２）に取り付けられた少なくとも１つの蛇行形状ブランチ（５）と、
前記フィードライン（３，４）および／又は前記蛇行形状ブランチ（５）に接続されるとともに、前記誘電体支持基板（２）に取り付けられた、少なくとも１つの追加の共振ブランチ（６）と、を有し、
ここで、前記少なくとも二つのフィードライン（３，４）は、互いに異なる入力インピーダンスレベルを有するとともに、互い異なる共振作用を有するように構成され、前記少なくとも二つのフィードライン（３，４）は、互いに異なる長さおよび／又は幅を有し、前記ブランチ（５，６）は実質的にフラットな形状を有し、そして、前記フィードライン（３，４）は、前記少なくとも１つの共通の蛇行形状ブランチ（５）に接続されているアンテナモジュール。
【請求項２】
前記ブランチ（５，６）は、前記誘電体支持基板（２）にプリントされている請求項２に記載のアンテナモジュール（１）。
【請求項３】
前記ブランチ（５，６）は、共通の平面に位置している請求項１又は２に記載のアンテナモジュール（１）。
【請求項４】
前記少なくとも１つの追加ブランチ（６）は、前記蛇行形状ブランチ（５）のサイドブランチである請求項１〜３の何れか一項に記載のアンテナモジュール（１）。
【請求項５】
複数の追加ブランチ（６）が使用される請求項１〜４の何れか一項に記載のアンテナモジュール（１）。
【請求項６】
前記アンテナモジュール（１）は、前記ブランチ（５，６）を少なくとも実質的に取り囲む少なくとも１つの誘電性ハウジングを有する請求項１〜５の何れか一項に記載のアンテナモジュール（１）。
【請求項７】
前記アンテナは、次のバンド幅、即ち、セルラーＧＳＭ，ＬＴＥ，ＷＣＤＭＡおよび／又はＷｉＦｉの少なくとも１つで作動するように構成されている請求項１〜６の何れか一項に記載のアンテナモジュール（１）。
【請求項８】
前記蛇行形状ブランチ（５）の湾曲部の数は少なくとも４つである請求項１〜７の何れか一項に記載のアンテナモジュール（１）。
【請求項９】
前記蛇行形状ブランチ（５）は、実質的にスムースな湾曲部を有する請求項１〜８の何れか一項に記載のアンテナモジュール（１）。
【請求項１０】
少なくとも１つのブランチ（５，６）の自由端は、テーパ形状を有する請求項１〜９の何れか一項に記載のアンテナモジュール（１）。
【請求項１１】
前記蛇行形状ブランチ（５）の外側幅は、０．８〜１ｃｍ、および／又は、前記蛇行形状ブランチ（５）の外側長さは、１〜２ｃｍである請求項１〜１０の何れか一項に記載のアンテナモジュール（１）。
【請求項１２】
前記蛇行形状ブランチ（５）の全長は、５〜１５ｃｍ、および／又は、前記蛇行形状ブランチ（５）の幅は、０．２５〜１．５ｍｍ、および／又は、前記蛇行形状ブランチ（５）の厚みは、１０〜４０ミクロンである請求項１〜１１の何れか一項に記載のアンテナモジュール（１）。
【請求項１３】
前記蛇行形状ブランチ（５）の二つの最も近い部分の間の距離は０．１〜１ｍｍである請求項１〜１２の何れか一項に記載のアンテナモジュール（１）。
【請求項１４】
追加ブランチ（６）の数は２〜６である請求項１〜１３の何れか一項に記載のアンテナモジュール（１）。
【請求項１５】
アンテナであって、
請求項１〜１４のいずれかのアンテナモジュール（１）を少なくとも一つ、および、
前記誘電体支持基板（２）の、前記アンテナモジュール（１）の前記ブランチ（５，６）の反対側に位置し、グランドプレーンとして機能する少なくとも１つの伝導性プレート、を有するアンテナ。
【請求項１６】
請求項１５の何れか一項に記載のアンテナを少なくとも１つ有する、モバイル装置（８）、特に電話機。
【請求項１７】
請求項１〜１４の何れか一項に記載のアンテナモジュール（１）の製造方法であって、
（Ａ）複数のフィードライン（３，４）と、少なくとも１つの蛇行形状ブランチ（５）と、少なくとも１つの追加のブランチ（６）とを誘電体支持基板（２）上に取り付ける、好ましくは、堆積する、工程、
ここで、前記少なくとも二つのフィードライン（３，４）は、互いに異なる入力インピーダンスレベルを有するとともに、互い異なる共振作用を有するように構成されて、前記少なくとも二つのフィードライン（３，４）は、互いに異なる長さおよび／又は幅を有し、前記ブランチ（５，６）は実質的にフラットな形状を有し、そして、前記フィードライン（３，４）は、前記少なくとも１つの共通の蛇行形状ブランチ（５）に接続されている、アンテナモジュールの製造方法。
【請求項１８】
前記工程（Ａ）の堆積工程は、写真石版および／又はメッキによって行われる請求項１７の何れか一項に記載のアンテナモジュールの製造方法。
【国際調査報告】
2017504276.tif 000010
2017504276.tif 000011
2017504276.tif 000012
2017504276.tif 000013
2017504276.tif 000014
2017504276.tif 000015